(57)【要約】【課題】通信装置がログ情報の送信を実行する状況において、ログ情報の送信に関する送信設定が変更されることを抑制できる技術を提供すること。【解決手段】通信装置は、第１の送信設定が非実行情報を含む状況において、外部装置から第１の画面要求が受信される場合に、第１の画面データを外部装置に送信する。その後、通信装置は、第１の画面において変更指示が受け付けられる場合に、外部装置から第１の送信設定を第２の送信設定に変更するための変更要求を受信して、第１の送信設定を第２の送信設定に変更する。また、通信装置は、第１の送信設定が実行情報を含む状況において、外部装置から第１の画面要求が受信される場合に、第２の画面を表示するための第２の画面データを前記外部装置に送信する。【選択図】図２
2020119209.tif 000002
【特許請求の範囲】
【請求項１】
通信装置であって、
前記通信装置において発生したイベントのログを示すログ情報の送信に関する第１の送信設定を記憶するメモリであって、前記第１の送信設定は、前記ログ情報の送信を実行することを示す実行情報と、前記ログ情報の送信を実行しないことを示す非実行情報と、のうちのいずれか一方を含む、前記メモリと、
通信インターフェースと、
前記第１の送信設定が前記実行情報を含む状況において、前記通信装置において第１のイベントが発生する場合に、前記通信インターフェースを介して、前記メモリに記憶されている前記第１の送信設定に従って、前記第１のイベントのログを示す第１のログ情報をサーバに送信するログ情報送信部であって、前記第１の送信設定が前記非実行情報を含む状況において、前記通信装置において前記第１のイベントが発生する場合に、前記第１のログ情報は送信されない、前記ログ情報送信部と、
外部装置から、前記通信インターフェースを介して、第１の画面を表示するための第１の画面データの送信を要求する第１の画面要求を受信する画面要求受信部であって、前記第１の画面は、前記メモリに記憶されている前記第１の送信設定を第２の送信設定に変更するための変更指示を受け付け可能な画面である、前記画面要求受信部と、
前記第１の送信設定が前記非実行情報を含む状況において、前記外部装置から前記第１の画面要求が受信される場合に、前記通信インターフェースを介して、前記第１の画面データを前記外部装置に送信する第１の画面データ送信部と、
前記第１の送信設定が前記実行情報を含む状況において、前記外部装置から前記第１の画面要求が受信される場合に、前記通信インターフェースを介して、第２の画面を表示するための第２の画面データを前記外部装置に送信する第２の画面データ送信部であって、前記第２の画面は、前記変更指示を受け付け不可能な画面である、前記第２の画面データ送信部と、
前記第１の画面データの送信後に、前記外部装置において表示される前記第１の画面において前記変更指示が受け付けられる場合に、前記外部装置から、前記通信インターフェースを介して、前記第１の送信設定を前記第２の送信設定に変更するための変更要求を受信する変更要求受信部と、
前記外部装置から前記変更要求が受信される場合に、前記メモリに記憶されている前記第１の送信設定を前記第２の送信設定に変更する第１の設定変更部と、
を備える、通信装置。
【請求項２】
前記通信装置は、さらに、
操作部と、
ユーザから、前記操作部を介して、前記メモリに記憶されている前記第１の送信設定を前記第２の送信設定に変更するための変更指示を受け付ける変更指示受付部と、
前記ユーザから前記操作部を介した前記変更指示が受け付けられる場合に、前記第１の送信設定を前記第２の送信設定に変更する第２の設定変更部と、
を備える、請求項１に記載の通信装置。
【請求項３】
前記第２の画面は、前記通信装置が前記操作部を介した前記変更指示を受け付け可能であることを示す報知情報を含む、請求項２に記載の通信装置。
【請求項４】
前記通信装置は、さらに、
前記第１の送信設定が前記実行情報を含む状況における前記第１の画面要求の受信後に、所定条件が満たされる場合に、前記通信インターフェースを介して、第３の画面を表示するための第３の画面データを前記外部装置に送信する第３の画面データ送信部であって、前記第３の画面は、前記変更指示を受け付け可能な画面であり、前記第２の画面データの送信後に、前記所定条件が満たされない場合に、前記第３の画面データは送信されない、前記第３の画面データ送信部を備え、
前記変更要求受信部は、さらに、前記第３の画面データの送信後に、前記外部装置において表示される前記第３の画面において前記変更指示が受け付けられる場合に、前記外部装置から、前記通信インターフェースを介して、前記変更要求を受信する、請求項１から３のいずれか一項に記載の通信装置。
【請求項５】
前記第１の画面データ送信部は、ＨＴＴＰ（Hypertext Transfer Protocolの略）に従って、前記第１の画面データを前記外部装置に送信し、
前記第２の画面データ送信部は、前記ＨＴＴＰに従って、前記第２の画面データを前記外部装置に送信する、請求項１から４のいずれか一項に記載の通信装置。
【請求項６】
通信装置であって、
前記通信装置において発生したイベントのログを示すログ情報の送信に関する第１の送信設定を記憶するメモリであって、前記第１の送信設定は、前記ログ情報の送信を実行することを示す実行情報と、前記ログ情報の送信を実行しないことを示す非実行情報と、のうちのいずれか一方を含む、前記メモリと、
通信インターフェースと、
前記第１の送信設定が前記実行情報を含む状況において、前記通信装置において第１のイベントが発生する場合に、前記通信インターフェースを介して、前記メモリに記憶されている前記第１の送信設定に従って、前記第１のイベントのログを示す第１のログ情報をサーバに送信する第１のログ情報送信部であって、前記第１の送信設定が前記非実行情報を含む状況において、前記通信装置において前記第１のイベントが発生する場合に、前記第１のログ情報は送信されない、前記第１のログ情報送信部と、
外部装置から、前記通信インターフェースを介して、前記第１の送信設定を第２の送信設定に変更するための変更要求を受信する変更要求受信部と、
前記第１の送信設定が前記非実行情報を含む状況において、前記外部装置から前記変更要求が受信される場合に、前記メモリに記憶されている前記第１の送信設定を前記第２の送信設定に変更する第１の設定変更部であって、前記第１の送信設定が前記実行情報を含む状況において、前記外部装置から前記変更要求が受信される場合に、前記第１の送信設定は変更されない、前記第１の設定変更部と、
を備える、通信装置。
【請求項７】
前記通信装置は、さらに、
操作部と、
ユーザから、前記操作部を介して、前記メモリに記憶されている前記第１の送信設定を前記第２の送信設定に変更するための変更指示を受け付ける変更指示受付部と、
前記ユーザから前記操作部を介した前記変更指示が受け付けられる場合に、前記第１の送信設定を前記第２の送信設定に変更する第２の設定変更部と、
を備える、請求項６に記載の通信装置。
【請求項８】
前記通信装置は、さらに、
前記第１の送信設定が前記実行情報を含む状況において、前記外部装置から前記変更要求が受信される場合に、前記通信インターフェースを介して、前記通信装置が前記操作部を介した前記変更指示を受け付け可能であることを示す報知情報を前記外部装置に送信する報知情報送信部を備える、請求項７に記載の通信装置。
【請求項９】
前記通信装置は、さらに、
前記第１の送信設定が前記実行情報を含む状況において、前記外部装置から前記変更要求が受信されることに起因して、前記通信装置において第２のイベントが発生する場合に、前記メモリに記憶されている前記第１の送信設定に従って、前記第２のイベントのログを示す第２のログ情報を前記サーバに送信する第２のログ情報送信部を備える、請求項６から８のいずれか一項に記載の通信装置。
【請求項１０】
前記通信装置は、さらに、
前記第１の送信設定が前記実行情報を含む状況において、前記外部装置から前記変更要求が受信され、かつ、所定条件が満たされる場合に、前記メモリに記憶されている前記第１の送信設定を前記第２の送信設定に変更する第３の設定変更部であって、前記第１の送信設定が前記実行情報を含む状況において、前記外部装置から前記変更要求が受信され、かつ、前記所定条件が満たされない場合に、前記第１の送信設定は変更されない、前記第３の設定変更部を備える、請求項６から９のいずれか一項に記載の通信装置。
【請求項１１】
前記メモリは、さらに、予め決められている第１の認証情報を記憶しており、
前記通信装置は、さらに、
第２の認証情報が取得される場合に、前記メモリに記憶されている前記第１の認証情報を前記第２の認証情報に変更する認証情報変更部であって、前記第２の認証情報が取得されない場合に、前記第１の認証情報は変更されない、前記認証情報変更部を備え、
前記所定条件は、前記第１の認証情報に代えて前記第２の認証情報が前記メモリに記憶されることを含む、請求項４又は１０に記載の通信装置。
【請求項１２】
前記通信装置は、さらに、
出力部と、
第３の認証情報を前記出力部に出力させる出力制御部と、
前記通信インターフェースを介して、特定の認証情報を入力するための入力画面を表示するための入力画面データを前記外部装置に送信する第４の画面データ送信部と、
前記入力画面データの送信後に、前記外部装置において表示される前記入力画面において前記特定の認証情報が入力される場合に、前記外部装置から、前記通信インターフェースを介して、前記特定の認証情報を受信する認証情報受信部と、を備え、
前記所定条件は、前記外部装置から受信された前記特定の認証情報と、前記第３の認証情報と、が一致することを含む、請求項４、１０、１１のいずれか一項に記載の通信装置。
【請求項１３】
前記通信装置は、さらに、
前記外部装置から、前記通信インターフェースを介して、電子メールの送信を要求するメール送信要求を受信する送信要求受信部と、
前記外部装置から前記メール送信要求が受信される場合に、前記通信インターフェースを介して、ＵＲＩ（Uniform Resource Identifierの略）を含む電子メールを前記外部装置に送信する電子メール送信部と、を備え、
前記所定条件は、前記電子メールの送信後に、前記外部装置から前記ＵＲＩが受信されることを含む、請求項４及び１０から１２のいずれか一項に記載の通信装置。
【請求項１４】
前記通信装置は、さらに、
前記メール送信要求が受信される毎に、異なるＵＲＩを生成する生成部を備え、
前記電子メールは、生成済みのＵＲＩを含む、請求項１３に記載の通信装置。
【請求項１５】
前記通信装置は、さらに、
表示部と、
ユーザから特定の指示を受け付けるための受付画面を前記表示部に表示させる表示制御部と、を備え、
前記所定条件は、前記受付画面において前記ユーザから前記特定の指示が受け付けられることを含む、請求項４及び１０から１４のいずれか一項に記載の通信装置。
【請求項１６】
前記変更要求は、前記実行情報を前記非実行情報に変更するための指示と、前記ログ情報の送信先を示す送信先情報を変更するための指示と、前記ログ情報を送信するために利用される通信プロトコルを変更するための指示と、のうちの少なくとも１つを含む、請求項１から１５のいずれか一項に記載の通信装置。
【請求項１７】
前記通信インターフェースは、ＴＣＰ（Transmission Control Protocolの略）及びＩＰ（Internet Protocol）に従った通信を実行するためのインターフェースである、請求項１から１６のいずれか一項に記載の通信装置。
【請求項１８】
前記通信インターフェースは、ＨＴＴＰ（Hypertext Transfer Protocolの略）に従った通信を実行するためのインターフェースである、請求項１７に記載の通信装置。
【請求項１９】
前記第１のログ情報は、ｓｙｓｌｏｇプロトコルに従って前記サーバに送信される、請求項１から１８のいずれか一項に記載の通信装置。
【請求項２０】
通信装置のためのコンピュータプログラムであって、
前記通信装置は、
前記通信装置において発生したイベントのログを示すログ情報の送信に関する第１の送信設定を記憶するメモリであって、前記第１の送信設定は、前記ログ情報の送信を実行することを示す実行情報と、前記ログ情報の送信を実行しないことを示す非実行情報と、のうちのいずれか一方を含む、前記メモリと、
通信インターフェースと、
コンピュータと、を備え、
前記コンピュータプログラムは、前記コンピュータを、以下の各部、即ち、
前記第１の送信設定が前記実行情報を含む状況において、前記通信装置において第１のイベントが発生する場合に、前記通信インターフェースを介して、前記メモリに記憶されている前記第１の送信設定に従って、前記第１のイベントのログを示す第１のログ情報をサーバに送信するログ情報送信部であって、前記第１の送信設定が前記非実行情報を含む状況において、前記通信装置において前記第１のイベントが発生する場合に、前記第１のログ情報は送信されない、前記ログ情報送信部と、
外部装置から、前記通信インターフェースを介して、第１の画面を表示するための第１の画面データの送信を要求する第１の画面要求を受信する画面要求受信部であって、前記第１の画面は、前記メモリに記憶されている前記第１の送信設定を第２の送信設定に変更するための変更指示を受け付け可能な画面である、前記画面要求受信部と、
前記第１の送信設定が前記非実行情報を含む状況において、前記外部装置から前記第１の画面要求が受信される場合に、前記通信インターフェースを介して、前記第１の画面データを前記外部装置に送信する第１の画面データ送信部と、
前記第１の送信設定が前記実行情報を含む状況において、前記外部装置から前記第１の画面要求が受信される場合に、前記通信インターフェースを介して、第２の画面を表示するための第２の画面データを前記外部装置に送信する第２の画面データ送信部であって、前記第２の画面は、前記変更指示を受け付け不可能な画面である、前記第２の画面データ送信部と、
前記第１の画面データの送信後に、前記外部装置において表示される前記第１の画面において前記変更指示が受け付けられる場合に、前記外部装置から、前記通信インターフェースを介して、前記第１の送信設定を前記第２の送信設定に変更するための変更要求を受信する変更要求受信部と、
前記外部装置から前記変更要求が受信される場合に、前記メモリに記憶されている前記第１の送信設定を前記第２の送信設定に変更する第１の設定変更部と、
として機能させる、コンピュータプログラム。
【請求項２１】
通信装置のためのコンピュータプログラムあって、
前記通信装置は、
前記通信装置において発生したイベントのログを示すログ情報の送信に関する第１の送信設定を記憶するメモリであって、前記第１の送信設定は、前記ログ情報の送信を実行することを示す実行情報と、前記ログ情報の送信を実行しないことを示す非実行情報と、のうちのいずれか一方を含む、前記メモリと、
通信インターフェースと、
コンピュータと、を備え、
前記コンピュータプログラムは、前記コンピュータを、以下の各部、即ち、
前記第１の送信設定が前記実行情報を含む状況において、前記通信装置において第１のイベントが発生する場合に、前記通信インターフェースを介して、前記メモリに記憶されている前記第１の送信設定に従って、前記第１のイベントのログを示す第１のログ情報をサーバに送信する第１のログ情報送信部であって、前記第１の送信設定が前記非実行情報を含む状況において、前記通信装置において前記第１のイベントが発生する場合に、前記第１のログ情報は送信されない、前記第１のログ情報送信部と、
外部装置から、前記通信インターフェースを介して、前記第１の送信設定を第２の送信設定に変更するための変更要求を受信する変更要求受信部と、
前記第１の送信設定が前記非実行情報を含む状況において、前記外部装置から前記変更要求が受信される場合に、前記メモリに記憶されている前記第１の送信設定を前記第２の送信設定に変更する第１の設定変更部であって、前記第１の送信設定が前記実行情報を含む状況において、前記外部装置から前記変更要求が受信される場合に、前記第１の送信設定は変更されない、前記第１の設定変更部と、
として機能させる、コンピュータプログラム。
【発明の詳細な説明】
【技術分野】
【０００１】
本明細書では、ログ情報をサーバに送信する通信装置に関する技術を開示する。
【背景技術】
【０００２】
特許文献１には、ｓｙｓｌｏｇプロトコルに従って動作ログをホストに転送する画像処理装置が開示されている。画像処理装置は、転送停止のトリガ事象が発生する場合に、動作ログの転送を停止する。
【先行技術文献】
【特許文献】
【０００３】
【特許文献１】特開２０１０−２８７１０８号公報
【特許文献２】特開２０１２−１６１０９４号公報
【発明の概要】
【発明が解決しようとする課題】
【０００４】
上記の技術では、例えば、悪意ある第三者が転送停止のトリガ事象を発生させると、画像処理装置による動作ログの転送が停止される。この場合、画像処理装置の管理者が画像処理装置の動作ログを知ることができなくなってしまう。
【０００５】
本明細書では、通信装置がログ情報の送信を実行する状況において、ログ情報の送信に関する送信設定が変更されることを抑制できる技術を開示する。
【０００６】
本明細書で開示する通信装置は、前記通信装置において発生したイベントのログを示すログ情報の送信に関する第１の送信設定を記憶するメモリであって、前記第１の送信設定は、前記ログ情報の送信を実行することを示す実行情報と、前記ログ情報の送信を実行しないことを示す非実行情報と、のうちのいずれか一方を含む、前記メモリと、通信インターフェースと、前記第１の送信設定が前記実行情報を含む状況において、前記通信装置において第１のイベントが発生する場合に、前記通信インターフェースを介して、前記メモリに記憶されている前記第１の送信設定に従って、前記第１のイベントのログを示す第１のログ情報をサーバに送信するログ情報送信部であって、前記第１の送信設定が前記非実行情報を含む状況において、前記通信装置において前記第１のイベントが発生する場合に、前記第１のログ情報は送信されない、前記ログ情報送信部と、外部装置から、前記通信インターフェースを介して、第１の画面を表示するための第１の画面データの送信を要求する第１の画面要求を受信する画面要求受信部であって、前記第１の画面は、前記メモリに記憶されている前記第１の送信設定を第２の送信設定に変更するための変更指示を受け付け可能な画面である、前記画面要求受信部と、前記第１の送信設定が前記非実行情報を含む状況において、前記外部装置から前記第１の画面要求が受信される場合に、前記通信インターフェースを介して、前記第１の画面データを前記外部装置に送信する第１の画面データ送信部と、前記第１の送信設定が前記実行情報を含む状況において、前記外部装置から前記第１の画面要求が受信される場合に、前記通信インターフェースを介して、第２の画面を表示するための第２の画面データを前記外部装置に送信する第２の画面データ送信部であって、前記第２の画面は、前記変更指示を受け付け不可能な画面である、前記第２の画面データ送信部と、前記第１の画面データの送信後に、前記外部装置において表示される前記第１の画面において前記変更指示が受け付けられる場合に、前記外部装置から、前記通信インターフェースを介して、前記第１の送信設定を前記第２の送信設定に変更するための変更要求を受信する変更要求受信部と、前記外部装置から前記変更要求が受信される場合に、前記メモリに記憶されている前記第１の送信設定を前記第２の送信設定に変更する第１の設定変更部と、を備えてもよい。
【０００７】
上記の構成によると、通信装置は、第１の送信設定が非実行情報を含む状況、即ち、通信装置がログ情報の送信を実行しない状況において、外部装置から第１の画面要求を受信する場合に、変更指示を受け付け可能な第１の画面を表示するための第１の画面データを外部装置に送信する。これにより、外部装置では、第１の画面が表示されて変更指示が受け付けられる。この結果、通信装置は、外部装置から変更要求を受信し、第１の送信設定を第２の送信設定に変更する。一方、通信装置は、第１の送信設定が実行情報を含む状況、即ち、通信装置がログ情報の送信を実行する状況において、外部装置から第１の画面要求を受信する場合に、変更指示を受け付け不可能な第２の画面を表示するための第２の画面データを外部装置に送信する。これにより、外部装置では、第２の画面が表示されて変更指示が受け付けられない。このために、通信装置は、外部装置から変更要求を受信しない。従って、通信装置がログ情報の送信を実行する状況において、ログ情報の送信に関する第１の送信設定が変更されることを抑制できる。
【０００８】
また、本明細書で開示する他の通信装置は、前記通信装置において発生したイベントのログを示すログ情報の送信に関する第１の送信設定を記憶するメモリであって、前記第１の送信設定は、前記ログ情報の送信を実行することを示す実行情報と、前記ログ情報の送信を実行しないことを示す非実行情報と、のうちのいずれか一方を含む、前記メモリと、通信インターフェースと、前記第１の送信設定が前記実行情報を含む状況において、前記通信装置において第１のイベントが発生する場合に、前記通信インターフェースを介して、前記メモリに記憶されている前記第１の送信設定に従って、前記第１のイベントのログを示す第１のログ情報をサーバに送信する第１のログ情報送信部であって、前記第１の送信設定が前記非実行情報を含む状況において、前記通信装置において前記第１のイベントが発生する場合に、前記第１のログ情報は送信されない、前記第１のログ情報送信部と、外部装置から、前記通信インターフェースを介して、前記第１の送信設定を第２の送信設定に変更するための変更要求を受信する変更要求受信部と、前記第１の送信設定が前記非実行情報を含む状況において、前記外部装置から前記変更要求が受信される場合に、前記メモリに記憶されている前記第１の送信設定を前記第２の送信設定に変更する第１の設定変更部であって、前記第１の送信設定が前記実行情報を含む状況において、前記外部装置から前記変更要求が受信される場合に、前記第１の送信設定は変更されない、前記第１の設定変更部と、を備えてもよい。
【０００９】
上記の構成によると、通信装置は、第１の送信設定が非実行情報を含む状況、即ち、通信装置がログ情報の送信を実行しない状況において、外部装置から変更要求を受信する場合に、第１の送信設定を第２の送信設定に変更する。一方、通信装置は、第１の送信設定が実行情報を含む状況、即ち、通信装置がログ情報の送信を実行する状況において、外部装置から変更要求を受信する場合に、第１の送信設定を変更しない。従って、通信装置がログ情報の送信を実行する状況において、ログ情報の送信に関する第１の送信設定が変更されることを抑制できる。
【００１０】
上記の通信装置を実現するためのコンピュータプログラム、及び、当該コンピュータプログラムを記憶するコンピュータ可読記録媒体も新規で有用である。上記の通信装置によって実行される方法も新規で有用である。また、上記の通信装置と他の装置（例えば、サーバ、外部装置）とを備える通信システムも、新規で有用である。
【図面の簡単な説明】
【００１１】
【図１】通信システムの構成を示す。
【図２】プリンタによって実行される処理のフローチャートを示す。
【図３】第１実施例のフラグ変更処理のフローチャートを示す。
【図４】ＰＩＮコード出力処理のフローチャートを示す。
【図５】電子メール送信処理のフローチャートを示す。
【図６】受付画面表示処理のフローチャートを示す。
【図７】ログ情報送信フラグが「ＯＦＦ」から「ＯＮ」に変更されるケースＡの処理のシーケンス図を示す。
【図８】ＰＩＮコードが印刷されるケースＢの処理のシーケンス図を示す。
【図９】電子メールが送信されるケースＣの処理のシーケンス図を示す。
【図１０】受付画面が表示されるケースＤの処理のシーケンス図を示す。
【図１１】パスワードが変更されるケースＥの処理のシーケンス図を示す。
【図１２】各画面の一例を示す。
【図１３】第２実施例のフラグ変更処理のフローチャートを示す。
【図１４】エラー画面が表示されるケースＦの処理のシーケンス図を示す。
【図１５】第３実施例のフラグ変更処理のフローチャートを示す。
【図１６】第４実施例のフラグ変更処理のフローチャートを示す。
【図１７】第５実施例のフラグ変更処理のフローチャートを示す。
【発明を実施するための形態】
【００１２】
（通信システム２の構成；図１）
図１に示すように、通信システム２は、プリンタ１０と、ログ管理サーバ（以下では、単に「サーバ」と記載する）１００と、ＰＣ（Personal Computerの略）２００と、を備える。各デバイス１０，１００，２００は、同じＬＡＮ（Local Area Networkの略）６に所属しており、ＬＡＮ６を介して相互に通信可能である。
【００１３】
（プリンタ１０の構成）
プリンタ１０は、印刷機能を実行可能な周辺装置（即ちＰＣ２００等の周辺装置）である。プリンタ１０は、操作部１２と、表示部１４と、通信インターフェース１６と、印刷実行部１８と、制御部３０と、を備える。以下では、インターフェースのことを「Ｉ／Ｆ」と記載する。
【００１４】
操作部１２は、複数のキーによって構成される。ユーザは、操作部１２を操作することによって、様々な指示をプリンタ１０に入力することができる。表示部１４は、様々な情報を表示するためのディスプレイである。表示部１４は、タッチパネル等の操作部として機能するものであってもよい。通信Ｉ／Ｆ１６は、有線通信を実行するためのＩ／Ｆであり、ＬＡＮ６に接続されている。変形例では、通信Ｉ／Ｆ１６は、無線通信を実行するためのＩ／Ｆであってもよく、この場合、ＬＡＮ６は、いわゆる無線ＬＡＮである。通信Ｉ／Ｆ１６は、ＯＳＩ参照モデルの第３層であるネットワーク層においてＩＰ（Internet Protocolの略）に従って通信を実行し、ＯＳＩ参照モデルの第４層であるトランスポート層においてＴＣＰ（Transmission Control Protocolの略）に従って通信を実行し、ＯＳＩ参照モデルの第７層であるアプリケーション層においてＨＴＴＰ（Hypertext Transfer Protocolの略）に従って通信を実行する。印刷実行部１８は、インクジェット方式、レーザ方式等の印刷機構を備える。
【００１５】
制御部３０は、ＣＰＵ３２と、メモリ３４と、を備える。ＣＰＵ３２は、メモリ３４に記憶されているプログラム３６に従って、様々な処理を実行する。例えば、ＣＰＵ３２は、プリンタ１０においてイベントが発生する場合に、ｓｙｓｌｏｇプロトコルに従って、当該イベントのログを示すログ情報をサーバ１００に送信する。ｓｙｓｌｏｇプロトコルは、システムのログを記憶するための汎用的な通信プロトコルである。
【００１６】
ここで、「イベントが発生する」とは、プリンタ１０によって予め決められている処理が実行されることを意味する。予め決められている処理は、例えば、ＨＴＴＰ認証、サーバ設定の変更等を含む。ＨＴＴＰ認証は、プリンタ１０のユーザを認証するための処理である。例えば、プリンタ１０は、プリンタ１０と通信可能な外部装置（例えばＰＣ２００）から、ＨＴＴＰに従って、プリンタ１０の内部サーバにログインするためのログイン要求を受信する場合に、ログイン要求に含まれる認証情報（例えばパスワード）を利用してＨＴＴＰ認証を実行する。サーバ設定の変更は、メモリ３４に記憶されているサーバ設定４０を変更するための処理である。例えば、プリンタ１０は、外部装置（例えばＰＣ２００）から、サーバ設定４０の変更を要求する変更要求を受信する場合に、変更要求に従ってサーバ設定４０を変更する。
【００１７】
メモリ３４は、揮発性メモリ、不揮発性メモリ等によって構成される。メモリ３４は、プログラム３６のみならず、Ｓｅｖｅｒｉｔｙテーブル３８と、ログ情報送信フラグ（以下では、単に「フラグ」と記載する）３９と、サーバ設定４０と、現行パスワード情報４２と、初期パスワード情報４４と、を記憶している。
【００１８】
Ｓｅｖｅｒｉｔｙテーブル３８は、複数個のイベントの内容のそれぞれについて、当該イベントの内容と、順位を示す順位情報と、を対応付けて記憶するテーブルである。ｓｙｓｌｏｇプロトコルでは、イベントの内容の重大度（即ちＳｅｖｅｒｉｔｙ）を示す順位が定義されている。順位の数字が小さい程、重大度が高い。例えば、順位「０」は順位「１」より高順位であり、順位「７」は順位「６」より低順位である。
【００１９】
プリンタ１０のベンダは、複数個のイベントの内容のそれぞれについて、順位「０」〜「７」のうちのいずれかを割り当てる。本実施例では、例えば、ＨＴＴＰ認証が成功したことを示すイベントの内容には、順位「６」が割り当てられ、ＨＴＴＰ認証が失敗したことを示すイベントの内容には、順位「４」が割り当てられる。また、サーバ設定４０の変更を示すイベントの内容には、順位「６」が割り当てられる。Ｓｅｖｅｒｉｔｙテーブル３８は、プリンタ１０の出荷段階からメモリ３４に予め記憶されている。また、Ｓｅｖｅｒｉｔｙテーブル３８は、プリンタ１０の出荷後にプログラム３６のアップデートが実行される場合等に変更されてもよい。
【００２０】
フラグ３９は、ログ情報の送信を実行することを示す「ＯＮ」と、ログ情報の送信を実行しないことを示す「ＯＦＦ」と、のいずれか一方を示す。即ち、プリンタ１０は、フラグ３９が「ＯＮ」を示す状況において、イベントが発生する場合に、当該イベントのログを示すログ情報をサーバ１００に送信する。一方、プリンタ１０は、フラグ３９が「ＯＦＦ」を示す状況において、イベントが発生する場合に、ログ情報を送信しない。
【００２１】
サーバ設定４０は、ログ情報の送信に利用される情報である。サーバ設定４０は、ログ情報の送信先のデバイスのＩＰアドレスと、ログ情報の送信先のポート番号と、ログ情報の送信に利用される通信プロトコルと、を含む。サーバ設定４０は、プリンタ１０の出荷後に、プリンタ１０の管理者によってメモリ３４に登録される。図１の例では、サーバ設定４０は、サーバ１００のＩＰアドレス「10.0.0.1」と、サーバ１００のポート番号「514」と、通信プロトコル「ＵＤＰ（User Datagram Protocolの略）」と、を含む。通信プロトコルは、「ＴＣＰ（Transmission Control Protocolの略）」、又は、「ＵＤＰ」に設定される。
【００２２】
現行パスワード情報４２は、プリンタ１０の内部サーバにログインするための現在のパスワードを示す。現行パスワード情報４２は、プリンタ１０の出荷段階からメモリ３４に予め記憶されている。プリンタ１０の出荷段階では、現行パスワード情報４２は、プリンタ１０のベンダによって予め決められているパスワードＰ１を含む。パスワードＰ１は、例えば、プリンタ１０とともに出荷される説明書に記述される。プリンタ１０の管理者は、当該説明書を読むことによってパスワードＰ１を知ることができ、パスワードＰ１を利用してプリンタ１０の内部サーバにログインすることができる。現行パスワード情報４２は、プリンタ１０の管理者によって変更可能である。
【００２３】
初期パスワード情報４４は、プリンタ１０の内部サーバにログインするためのデフォルトのパスワードであり、本実施例では、プリンタ１０のベンダによって予め決められているパスワードＰ１を含む。即ち、プリンタ１０の出荷段階では、現行パスワード情報４２と初期パスワード情報４４とは同じパスワードＰ１を含む。初期パスワード情報４４は、プリンタ１０の出荷段階からメモリ３４に予め記憶されている。
【００２４】
（ログ管理サーバ１００の構成）
サーバ１００は、プリンタ１０から受信されるログ情報を管理するサーバである。サーバ１００は、プリンタ１０の管理者によってＬＡＮ６に接続される。変形例では、サーバ１００は、インターネットに設置されてもよい。サーバ１００は、プリンタ１０からログ情報を受信する場合に、当該ログ情報をプリンタ１０の管理者のＰＣ（図示省略）に送信（即ち、通知）する。
【００２５】
（ＰＣ２００の構成）
ＰＣ２００は、据置型の端末装置（例えばデスクトップＰＣ等）であるが、変形例では、携帯電話（例えばスマートフォン）、ＰＤＡ、ノートＰＣ、タブレットＰＣ等の可搬型の端末装置であってもよい。
【００２６】
上記のように、プリンタ１０は、フラグ３９が「ＯＮ」を示す状況において、イベントが発生する場合に、ｓｙｓｌｏｇプロトコルに従ってログ情報をサーバ１００に送信する。例えば、悪意ある第三者が外部装置（例えばＰＣ２００）を利用して、ログ情報の送信に関する送信設定（即ち、フラグ３９、サーバ設定４０）を変更すると、プリンタ１０は、ログ情報をサーバ１００に送信することができない。この結果、サーバ１００からプリンタ１０の管理者のＰＣにログ情報が送信されないので、管理者は、プリンタ１０のログ情報を知ることができなくなってしまう。本実施例では、プリンタ１０がログ情報の送信を実行する状況において、ログ情報の送信に関する送信設定（即ち、フラグ３９、サーバ設定４０）が変更されることを抑制することを実現する。より具体的には、プリンタ１０は、フラグ３９が「ＯＮ」を示す状況において、ユーザから、操作部１２を介して、送信設定（即ち、フラグ３９、サーバ設定４０）を変更するための指示を受け付ける場合に、送信設定を変更するように構成される。また、プリンタ１０は、フラグ３９が「ＯＮ」を示す状況において、プリンタ１０と通信可能な外部装置（例えばＰＣ２００）から、通信Ｉ／Ｆ１６を介して、送信設定を変更するための要求を受信する場合に、設定変更を変更することを許容するのか否かに関する認証を実行し、認証が成功する場合に、送信設定を変更し、認証が失敗する場合に、送信設定を変更しないように構成される。
【００２７】
（プリンタの処理；図２）
続いて、図２を参照して、プリンタ１０のＣＰＵ３２によって実行される処理を説明する。プリンタ１０の電源がＯＮされる場合に、図２の処理が実行される。なお、プリンタ１０によって実行される以下の各通信は、ＨＴＴＰに従って通信Ｉ／Ｆ１６を介して実行される。従って、以下では、「ＨＴＴＰに従って」及び「通信Ｉ／Ｆ１６を介して」という記載を省略する。
【００２８】
Ｓ１０では、ＣＰＵ３２は、外部装置から、ログイン画面を表示するためのログイン画面データの送信を要求するログイン画面要求を受信することを監視する。ＣＰＵ３２は、外部装置からログイン画面要求を受信する場合に、Ｓ１０でＹＥＳと判断して、Ｓ２０に進む。なお、以下では、ログイン画面要求の送信元の外部装置を「対象装置」と記載する。
【００２９】
ＣＰＵ３２は、Ｓ１０の処理と並行して、Ｓ１２において、操作部１２を介して、ユーザからフラグ３９を変更するためのフラグ変更指示を受け付けることを監視する。ＣＰＵ３２は、ユーザから操作部１２を介したフラグ変更指示を受け付ける場合に、Ｓ１２でＹＥＳと判断し、Ｓ１４において、フラグ変更指示に従ってフラグ３９を変更する。例えば、ＣＰＵ３２は、フラグ３９が「ＯＦＦ」を示す状況において、ユーザから操作部１２を介したフラグ変更指示を受け付ける場合に、フラグ３９を「ＯＮ」から「ＯＦＦ」に変更する。Ｓ１４が終了すると、Ｓ１０に戻る。
【００３０】
また、ＣＰＵ３２は、Ｓ１０の処理とさらに並行して、Ｓ１６において、操作部１２を介して、ユーザからサーバ設定４０を変更するための設定変更指示を受け付けることを監視する。ＣＰＵ３２は、ユーザから操作部１２を介した設定変更指示を受け付ける場合に、Ｓ１８において、設定変更指示に従ってサーバ設定４０を変更する。Ｓ１８が終了すると、Ｓ１０に戻る。
【００３１】
Ｓ２０では、ＣＰＵ３２は、ログイン画面データを対象装置に送信する。ログイン画面データは、汎用的なＷｅｂブラウザが解釈可能な形式（例えばＨＴＭＬ（HyperText Markup Languageの略）、ＸＨＴＭＬ（Extensible HyperText Markup Languageの略）、ＣＳＳ（Cascading Style Sheetsの略）、Ｊａｖａ  Ｓｃｒｉｐｔ（登録商標）等）を有する。これにより、対象装置のＷｅｂブラウザによってログイン画面データが解釈され、対象装置においてログイン画面が表示される。ログイン画面は、プリンタ１０の内部サーバにログインするための画面であり、パスワードを入力するための入力欄を含む。なお、以下の各処理において、プリンタ１０から対象装置に送信される各画面データは、汎用的なＷｅｂブラウザが解釈可能な形式を有するデータである。
【００３２】
Ｓ２３では、ＣＰＵ３２は、対象装置から、管理者画面を表示するための管理者画面データの送信を要求する管理者画面要求を受信する。管理者画面要求は、対象装置において表示されるログイン画面において入力されたパスワードを含む。
【００３３】
Ｓ２５では、ＣＰＵ３２は、管理者画面要求に含まれるパスワードと、現行パスワード情報４２に含まれるパスワードと、が一致するのか否かを判断する。ＣＰＵ３２は、２個のパスワードが一致する場合（Ｓ２５でＹＥＳ）、即ち、認証が成功する場合に、Ｓ３０に進む。一方、ＣＰＵ３２は、２個のパスワードが一致しない場合、即ち、認証が失敗する場合に、Ｓ３５において、認証失敗画面を表示するための認証失敗画面データを対象装置に送信する。認証失敗画面は、パスワードが誤っていることを示す。Ｓ３５の処理が終了すると、図２の処理が終了し、Ｓ１０に戻る。
【００３４】
Ｓ３０では、ＣＰＵ３２は、管理者画面データを対象装置に送信する。これにより、対象装置のＷｅｂブラウザによって管理者画面データが解釈され、対象装置において管理者画面が表示される。図１２の（ａ）は、管理者画面の一例を示す。管理者画面は、プリンタ１０のフラグ３９を変更するためのフラグ変更ボタンと、プリンタ１０の現行パスワード情報４２を変更するためのパスワード変更ボタンと、を含む。
【００３５】
Ｓ４０では、ＣＰＵ３２は、対象装置から、フラグ変更画面を表示するためのフラグ変更画面データの送信を要求するフラグ変更画面要求を受信したのか否かを判断する。フラグ変更画面要求は、管理者画面においてフラグ変更ボタンが選択される場合に、対象装置からプリンタ１０に送信される。ＣＰＵ３２は、対象装置からフラグ変更画面要求が受信される場合に、Ｓ４０でＹＥＳと判断して、Ｓ４５に進む。
【００３６】
一方、ＣＰＵ３２は、対象装置から、パスワード変更画面を表示するためのパスワード変更画面データの送信を要求するパスワード変更画面要求が受信される場合に、Ｓ４０でＮＯと判断して、Ｓ５０に進む。パスワード変更画面要求は、管理者画面においてパスワード変更ボタンが選択される場合に、対象装置からプリンタ１０に送信される。
【００３７】
Ｓ４５では、ＣＰＵ３２は、フラグ３９を変更するためのフラグ変更処理（図３参照）を実行する。Ｓ４５の処理が終了すると、図２の処理が終了し、Ｓ１０の処理に戻る。
【００３８】
Ｓ５０では、ＣＰＵ３２は、パスワード変更画面データを対象装置に送信する。これにより、対象装置のＷｅｂブラウザによってパスワード変更画面データが解釈され、対象装置においてパスワード変更画面が表示される。パスワード変更画面は、現行パスワード情報４２を変更するための画面である。
【００３９】
Ｓ５５では、ＣＰＵ３２は、対象装置から、パスワード変更画面において入力されたパスワードを受信し、メモリ３４に記憶されている現行パスワード情報４２に現在含まれるパスワードに代えて、受信済みのパスワードを現行パスワード情報４２に記憶する。Ｓ５５の処理が終了すると、図２の処理が終了し、Ｓ１０に戻る。
【００４０】
（フラグ変更処理；図３）
続いて、図３を参照して、図２のＳ４５で実行されるフラグ変更処理の詳細を説明する。Ｓ１００では、ＣＰＵ３２は、メモリ３４に記憶されているフラグ３９が「ＯＮ」を示すのか否かを判断する。ＣＰＵ３２は、フラグ３９が「ＯＮ」を示すと判断する場合（Ｓ１００でＹＥＳ）、即ち、プリンタ１０がログ情報の送信を実行する場合に、Ｓ１１０に進む。一方、ＣＰＵ３２は、フラグ３９が「ＯＦＦ」を示すと判断する場合（Ｓ１００でＮＯ）、即ち、プリンタ１０がログ情報の送信を実行しない場合に、Ｓ１０５に進む。
【００４１】
Ｓ１０５では、ＣＰＵ３２は、フラグ３９及びサーバ設定４０を変更するための指示を受け付け可能な第１のフラグ変更画面を表示するための第１のフラグ変更画面データを対象装置に送信する。これにより、対象装置のＷｅｂブラウザによって第１のフラグ変更画面データが解釈され、対象装置において第１のフラグ変更画面が表示される。図１２の（ｂ）は、第１のフラグ変更画面の一例を示す。第１のフラグ変更画面は、フラグ３９を「ＯＦＦ」から「ＯＮ」に変更するための送信開始ボタンと、サーバ設定４０を変更するための設定変更ボタンと、を含む。Ｓ１０５の処理が終了すると、Ｓ１５５の処理に進む。
【００４２】
Ｓ１１０では、ＣＰＵ３２は、現行パスワード情報４２に含まれるパスワードと、初期パスワード情報４４に含まれるパスワードと、が一致するのか否かを判断する。ＣＰＵ３２は、２個のパスワードが一致する場合（Ｓ１１０でＹＥＳ）、即ち、プリンタ１０の出荷後にパスワードが変更されていない場合に、Ｓ１１５に進む。一方、ＣＰＵ３２は、２個のパスワードが一致しない場合（Ｓ１１０でＮＯ）、即ち、プリンタ１０の出荷後にパスワードが変更されている場合に、Ｓ１５０に進む。
【００４３】
Ｓ１１５では、ＣＰＵ３２は、フラグ３９及びサーバ設定４０を変更するための指示を受け付け不可能な第３のフラグ変更画面を表示するための第３のフラグ変更画面データを対象装置に送信する。これにより、対象装置のＷｅｂブラウザによって第３のフラグ変更画面データが解釈され、対象装置において第３のフラグ変更画面が表示される。図１２の（ｃ）は、第３のフラグ変更画面の一例を示す。第３のフラグ変更画面は、フラグ３９を「ＯＮ」から「ＯＦＦ」に変更するための送信停止ボタンと、サーバ設定４０を変更するための設定変更ボタンと、プリンタ１０にＰＩＮコードを出力させるためのＰＩＮコードボタンと、プリンタ１０に電子メールを送信させるための電子メール送信ボタンと、プリンタ１０に受付画面を表示させるための画面表示ボタンと、を含む。なお、第３のフラグ変更画面では、送信停止ボタンと設定変更ボタンとのそれぞれは、選択不可能な態様（例えば、グレーアウト等）を有する。また、第３のフラグ変更画面は、フラグ３９及びサーバ設定４０を変更するための指示をプリンタ１０が操作部１２を介して受け付け可能であることを示す報知メッセージを含む。これにより、対象装置のユーザは、フラグ３９及びサーバ設定４０の変更を望む場合に、プリンタ１０を操作すべきことを知ることができる。
【００４４】
Ｓ１２０では、ＣＰＵ３２は、対象装置から要求を受信したのか否かを判断する。当該要求は、第３のフラグ変更画面においていずれかのボタンが選択される場合に、対象装置からプリンタ１０に送信される。ＣＰＵ３２は、対象装置から要求を受信する場合に、Ｓ１２０でＹＥＳと判断し、Ｓ１２５に進む。一方、ＣＰＵ３２は、対象装置から所定時間内に要求が受信されない場合に、Ｓ１２０でＮＯと判断して（即ちタイムアウトと判断して）、図３の処理を終了する。
【００４５】
Ｓ１２５では、ＣＰＵ３２は、Ｓ１２０で受信された要求の種類を判断する。ＣＰＵ３２は、当該要求の種類が、ＰＩＮコードの出力を要求するＰＩＮコード要求であると判断する場合に、Ｓ１３０において、ＰＩＮコード出力処理を実行する。ＰＩＮコード出力要求は、第３のフラグ変更画面においてＰＩＮコードボタンが選択される場合に、対象装置からプリンタ１０に送信される。Ｓ１３０の処理が終了すると、Ｓ１４５に進む。
【００４６】
また、ＣＰＵ３２は、Ｓ１２５において、当該要求の種類が、電子メールの送信を要求するメール送信要求であると判断する場合に、Ｓ１３５において、電子メール送信処理を実行する。メール送信要求は、第３のフラグ変更画面において電子メールボタンが選択される場合に、対象装置からプリンタ１０に送信される。Ｓ１３５の処理が終了すると、Ｓ１４５に進む。
【００４７】
また、ＣＰＵ３２は、Ｓ１２５において、当該要求の種類が、受付画面の表示を要求する画面表示要求であると判断する場合に、Ｓ１４０において、受付画面表示処理を実行する。画面表示要求は、第３のフラグ変更画面において画面表示ボタンが選択される場合に、対象装置からプリンタ１０に送信される。Ｓ１４０の処理が終了すると、Ｓ１４５に進む。
【００４８】
Ｓ１３０、Ｓ１３５、及び、Ｓ１４０のいずれの処理においても、フラグ３９を「ＯＮ」から「ＯＦＦ」に変更することを許容するのか否かに関する認証が実行される。即ち、Ｓ１３０、Ｓ１３５、又は、Ｓ１４０の処理では、認証の成功又は失敗が判断される。
【００４９】
Ｓ１４５では、ＣＰＵ３２は、Ｓ１３０、Ｓ１３５、又は、Ｓ１４０の処理において、認証が成功したのか否かを判断する。ＣＰＵ３２は、認証が成功したと判断する場合（Ｓ１４５でＹＥＳ）に、Ｓ１５０に進む。一方、ＣＰＵ３２は、認証が失敗したと判断する場合（Ｓ１４５でＮＯ）に、図３の処理を終了する。
【００５０】
Ｓ１５０では、ＣＰＵ３２は、第２のフラグ変更画面を表示するための第２のフラグ変更画面データを対象装置に送信する。これにより、対象装置のＷｅｂブラウザによって第２のフラグ変更画面データが解釈され、対象装置において第２のフラグ変更画面が表示される。図１２の（ｃ）は、第２のフラグ変更画面の一例を示す。第２のフラグ変更画面は、フラグ３９を「ＯＮ」から「ＯＦＦ」に変更するための送信停止ボタンと、サーバ設定４０を変更するための設定変更ボタンと、を含む。
【００５１】
Ｓ１５５では、ＣＰＵ３２は、対象装置から、フラグ３９の変更を要求するフラグ変更要求を受信したのか否かを判断する。ＣＰＵ３２は、対象装置からフラグ変更要求を受信する場合に、Ｓ１５５でＹＥＳと判断して、Ｓ１６０に進む。フラグ変更要求は、第１のフラグ変更画面において送信開始ボタンが選択される場合、又は、第２のフラグ変更画面において送信停止ボタンが選択される場合に、対象装置からプリンタ１０に送信される。一方、ＣＰＵ３２は、対象装置からフラグ変更要求を受信しない場合に、Ｓ１５５でＮＯと判断して、Ｓ１６５に進む。
【００５２】
Ｓ１６０では、ＣＰＵ３２は、メモリ３４に記憶されているフラグ３９を変更する。具体的には、ＣＰＵ３２は、フラグ３９が「ＯＦＦ」を示す状況においてフラグ変更要求を受信する場合に、フラグ３９を「ＯＦＦ」から「ＯＮ」に変更する。一方、ＣＰＵ３２は、フラグ３９が「ＯＮ」を示す状況においてフラグ変更要求を受信する場合に、フラグ３９を「ＯＮ」から「ＯＦＦ」に変更する。Ｓ１６０の処理が終了すると、図３の処理が終了する。
【００５３】
Ｓ１６５では、ＣＰＵ３２は、対象装置から、設定画面を表示するための設定画面データの送信を要求する設定画面要求を受信したのか否かを判断する。ＣＰＵ３２は、対象装置から設定画面要求を受信する場合に、Ｓ１６５でＹＥＳと判断して、Ｓ１７０に進む。設定画面要求は、第１又は第２のフラグ変更画面において設定変更ボタンが選択される場合に、対象装置からプリンタ１０に送信される。一方、ＣＰＵ３２は、対象装置からフラグ変更要求も設定画面要求も受信しない状態で所定時間が経過する場合に、Ｓ１６５でＮＯと判断して、図３の処理を終了する。
【００５４】
Ｓ１７０では、ＣＰＵ３２は、設定画面データを対象装置に送信する。これにより、対象装置のＷｅｂブラウザによって設定変更画面データが解釈され、対象装置において設定画面が表示される。設定画面は、サーバ設定４０を変更するための画面である。図１２の（ｅ）は、設定画面の一例を示す。設定画面は、ＩＰアドレスを入力するための入力欄と、ポート番号を入力するための入力欄と、通信プロトコルを入力するための入力欄と、ＯＫボタンと、Ｃａｎｃｅｌボタンと、を含む。
【００５５】
Ｓ１８０では、ＣＰＵ３２は、対象装置から設定変更要求を受信して、メモリ３４に記憶されているサーバ設定４０を変更する。設定変更要求は、設定画面においてＩＰアドレスとポート番号と通信プロトコルとのうちの少なくとも１個の情報が入力された後に、設定画面内のＯＫボタンが選択される場合に、対象装置からプリンタ１０に送信される。設定変更要求は、設定画面において入力された情報を含む。ＣＰＵ３２は、対象装置から設定変更要求を受信する場合に、メモリ３４に記憶されているサーバ設定４０を、設定変更要求に含まれる情報に変更する。
【００５６】
Ｓ１８５では、ＣＰＵ３２は、ｓｙｓｌｏｇプロトコルに従って、メモリ３４に記憶されている送信設定を利用して、サーバ設定４０の変更を示すイベントのログを示すログ情報をサーバ１００に送信する。ここで、図３に示すログ情報の一例を参照して、ログ情報の詳細を説明する。ログ情報は、ＰＲＩ部と、ＨＥＡＤＥＲ部と、ＭＥＳＳＡＧＥ部と、を含む。ＰＲＩ部は、システムの種類を示すＦａｃｉｌｉｔｙの値とＳｅｖｅｒｉｔｙの順位とに基づいて算出される値（例えば「５４」）である。ＰＲＩ部の値は、例えば、Ｆａｃｉｌｉｔｙの値の８倍の値にＳｅｖｅｒｉｔｙの順位を加算することによって算出される。ＨＥＡＤＥＲ部は、現在の日時情報（即ちログ情報の送信日時（換言するとイベントの発生日時））を示す文字列（例えば「2018-10-16T10:00:00+09:00」）と、プリンタ１０のＩＰアドレスを示す文字列（例えば「10.0.1.0」）と、を含む。ＭＥＳＳＡＧＥ部は、イベントの内容を示す文字列（例えば「action = setting changed」）を含む。ログ情報がサーバ１００からプリンタ１０の管理者のＰＣに送信されることによって、プリンタ１０の管理者は、プリンタ１０のサーバ設定４０が変更されたことを知ることができる。Ｓ１８５の処理が終了すると、図３の処理が終了する。
【００５７】
（ＰＩＮコード出力処理；図４）
続いて、図４を参照して、図３のＳ１３０で実行されるＰＩＮコード出力処理の詳細を説明する。Ｓ２００では、ＣＰＵ３２は、ユニークなＰＩＮコードを生成して、生成済みのＰＩＮコードを含む画像を印刷するための印刷データを印刷実行部１８に供給することによって、当該画像を印刷する。これにより、対象装置のユーザは、印刷済みのＰＩＮコードを知ることができる。
【００５８】
Ｓ２０５では、ＣＰＵ３２は、入力画面を表示するための入力画面データを対象装置に送信する。これにより、対象装置のＷｅｂブラウザによって入力画面データが解釈され、対象装置において入力画面が表示される。入力画面は、ＰＩＮコードを入力するための画面である。
【００５９】
Ｓ２１０では、ＣＰＵ３２は、対象装置から、入力画面で入力されたＰＩＮコードを受信する。
【００６０】
Ｓ２１５では、ＣＰＵ３２は、Ｓ２００で生成されたＰＩＮコードと、Ｓ２１０で受信されたＰＩＮコードと、が一致するのか否かを判断する。ＣＰＵ３２は、２個のＰＩＮコードが一致すると判断する場合（Ｓ２１５でＹＥＳ）に、認証成功と判断して図４の処理を終了する。一方、ＣＰＵ３２は、２個のＰＩＮコードが一致しないと判断する場合（Ｓ２１５でＮＯ）に、Ｓ２２０において、ＰＩＮコードが誤っていることを示す認証失敗画面を表示するための認証失敗画面データを対象端末に送信する。これにより、対象装置のＷｅｂブラウザによって認証失敗画面データが解釈され、対象装置において認証失敗画面が表示される。そして、ＣＰＵ３２は、認証失敗と判断して、図４の処理を終了する。
【００６１】
（電子メール送信処理；図５）
続いて、図５を参照して、図３のＳ１３５で実行される電子メール送信処理の詳細を説明する。Ｓ３００では、ＣＰＵ３２は、第２のフラグ変更画面データの位置（即ち、プリンタ１０の内部サーバ内の第２のフラグ変更画面データのディレクトリ）を示すＵＲＩ（Uniform Resource Identifierの略）を生成する。この際、ＣＰＵ３２は、前回のＳ３００で生成されたＵＲＩとは異なるＵＲＩを生成する。これにより、例えば、管理者とは異なる第三者が前回のＳ３００で生成されたＵＲＩを知っている状況においても、第三者は今回のＵＲＩを知らないので、第２のフラグ変更画面が第三者によって操作されることを抑制することができる。
【００６２】
Ｓ３０５では、ＣＰＵ３２は、プリンタ１０の管理者のメールアドレスを送信先として、生成済みのＵＲＩをメール本文として含む電子メールを送信する。なお、プリンタ１０の管理者のメールアドレスは、プリンタ１０の管理者によってプリンタ１０のメモリ３４に予め記憶される。
【００６３】
Ｓ３１０では、ＣＰＵ３２は、電子メールの送信が完了したことを示す送信完了画面を表示するための送信完了画面データを対象装置に送信する。これにより、対象装置のＷｅｂブラウザによって送信完了画面データが解釈され、対象装置において送信完了画面が表示される。
【００６４】
Ｓ３２０では、ＣＰＵ３２は、Ｓ３０５で送信された電子メール内のＵＲＩを含むアクセス要求を受信したのか否かを判断する。ＣＰＵ３２は、当該ＵＲＩを含むアクセス要求を受信する場合に、Ｓ３２０でＹＥＳと判断する。そして、ＣＰＵ３２は、認証成功と判断して図５の処理を終了する。一方、ＣＰＵ３２は、所定時間内に当該ＵＲＩを含むアクセス要求を受信しない場合に、Ｓ３２０でＮＯと判断する。そして、ＣＰＵ３２は、認証失敗と判断して図５の処理を終了する。
【００６５】
（受付画面表示処理；図６）
続いて、図６を参照して、図３のＳ１４０で実行される受付画面表示処理の詳細を説明する。Ｓ４００では、ＣＰＵ３２は、受付画面を表示部１４に表示させる。図１２の（ｆ）は、受付画面の一例を示す。受付画面は、図３のＳ１５０以降の処理を実行することを示すＯＫボタンと、Ｓ１５０以降の処理を実行しないことを示すＣａｎｃｅｌボタンと、を含む。
【００６６】
Ｓ４０５では、ＣＰＵ３２は、通知画面を表示するための通知画面データを対象装置に送信する。これにより、対象装置のＷｅｂブラウザによって通知画面データが解釈され、対象装置において通知画面が表示される。通知画面は、プリンタ１０に表示される受付画面を操作することを対象装置のユーザに促すための画面である。これにより、ユーザは、プリンタ１０に表示される受付画面において操作を実行すべきことを知ることができる。
【００６７】
Ｓ４１０では、ＣＰＵ３２は、受付画面においてＯＫボタンが選択されたのか否かを判断する。ＣＰＵ３２は、受付画面においてＯＫボタンが選択される場合に、Ｓ４１０においてＹＥＳと判断する。そして、ＣＰＵ３２は、認証成功と判断して図６の処理を終了する。一方、ＣＰＵ３２は、受付画面においてＣａｎｃｅｌボタンが選択される場合、又は、受付画面が表示されてから所定時間が経過する場合に、Ｓ４１０でＮＯと判断する。そして、ＣＰＵ３２は、認証失敗と判断して図６の処理を終了する。
【００６８】
（具体例；図７〜図１１）
続いて、図７〜図１１を参照して、ＣＰＵ３２が、図２〜図６の処理を実行することによって実現される具体例を説明する。まず、図７を参照して、プリンタ１０のフラグ３９が「ＯＦＦ」から「ＯＮ」に変更されるケースＡを説明する。なお、以下では、理解の容易化のために、各デバイスのＣＰＵ（例えばプリンタ１０のＣＰＵ３２）が実行する動作を、ＣＰＵを主体として記載せずに、各デバイス（例えばプリンタ１０）を主体として記載する。図７の初期状態では、プリンタ１０のフラグ３９は「ＯＦＦ」を示す。
【００６９】
ＰＣ２００は、Ｔ１０において、ユーザからログイン操作を受け付け、Ｔ１２において、ログイン画面要求をプリンタ１０に送信する。
【００７０】
プリンタ１０は、Ｔ１２において、ＰＣ２００からログイン画面要求を受信する場合（図２のＳ１０でＹＥＳ）に、ログイン画面データをＰＣ２００に送信する（Ｓ２０）。
【００７１】
ＰＣ２００は、Ｔ１４において、プリンタ１０からログイン画面データを受信する場合に、Ｔ１６において、ログイン画面を表示する。次いで、ＰＣ２００は、Ｔ２０において、ログイン画面においてパスワードＰ１がユーザによって入力されることに応じて、Ｔ２２において、パスワードＰ１を含む管理者画面要求をプリンタ１０に送信する。
【００７２】
プリンタ１０は、Ｔ２２において、ＰＣ２００から管理者画面要求を受信する場合（図２のＳ２３）に、管理者画面要求に含まれるパスワードＰ１とメモリ３４に記憶されている現行パスワード情報４２に含まれるパスワードＰ１とが一致すると判断し（Ｓ２５でＹＥＳ）、Ｔ２４において、管理者画面データをＰＣ２００に送信する（Ｓ３０）。
【００７３】
ＰＣ２００は、Ｔ２４において、プリンタ１０から管理者画面データを受信する場合に、Ｔ２６において、管理者画面（図１２の（ａ）参照）を表示する。次いで、ＰＣ２００は、Ｔ３０において、管理者画面においてユーザによってフラグ変更ボタンが選択されることに応じて、Ｔ３２において、フラグ変更画面要求をプリンタ１０に送信する。
【００７４】
プリンタ１０は、Ｔ３２において、ＰＣ２００からフラグ変更画面要求を受信する場合（図２のＳ４０でＹＥＳ）に、メモリ３４に記憶されているフラグ３９が「ＯＦＦ」を示すと判断して（図３のＳ１００でＮＯ）、Ｔ３４において、第１のフラグ変更画面データをＰＣ２００に送信する（Ｓ１０５）。
【００７５】
ＰＣ２００は、Ｔ３４において、プリンタ１０から第１のフラグ変更画面データを受信する場合に、Ｔ３６において、第１のフラグ変更画面（図１２の（ｂ）参照）を表示する。次いで、ＰＣ２００は、Ｔ４０において、第１のフラグ変更画面においてユーザによって送信開始ボタンが選択されることに応じて、Ｔ４２において、フラグ変更要求をプリンタ１０に送信する。
【００７６】
プリンタ１０は、Ｔ４２において、ＰＣ２００からフラグ変更要求を受信する場合（図３のＳ１５５でＹＥＳ）に、Ｔ４４において、メモリ３４に記憶されているフラグ３９を「ＯＦＦ」から「ＯＮ」に変更する（Ｓ１６０）。Ｔ４４の処理が終了すると、ケースＡの処理が終了する。
【００７７】
（ケースＢ；図８）
続いて、図８を参照して、プリンタ１０によってＰＩＮコード出力処理（図４参照）が実行されるケースＢを説明する。図８の初期状態では、プリンタ１０のフラグ３９は「ＯＮ」を示す。
【００７８】
Ｔ１１０〜Ｔ１３２は、図７のＴ１０〜Ｔ３２と同様である。プリンタ１０は、Ｔ１３２において、ＰＣ２００からフラグ変更画面要求を受信する場合（図２のＳ４０でＹＥＳ）に、メモリ３４に記憶されているフラグ３９が「ＯＮ」を示すと判断する（図３のＳ１００でＹＥＳ）。また、プリンタ１０は、メモリ３４に記憶されている現行パスワード情報４２に含まれるパスワードＰ１と、メモリ３４に記憶されている初期パスワード情報４４に含まれるパスワードＰ１と、が一致すると判断する（Ｓ１１０でＹＥＳ）。この場合、プリンタ１０は、Ｔ１３４において、第３のフラグ変更画面データをＰＣ２００に送信する（Ｓ１１５）。
【００７９】
ＰＣ２００は、Ｔ１３４において、プリンタ１０から第３のフラグ変更画面データを受信する場合に、Ｔ１３６において、第３のフラグ変更画面（図１２の（ｄ）参照）を表示する。次いで、ＰＣ２００は、Ｔ１４０において、第３のフラグ変更画面においてユーザによってＰＩＮコードボタンが選択されることに応じて、Ｔ１４２において、ＰＩＮコード要求をプリンタ１０に送信する。
【００８０】
プリンタ１０は、Ｔ１４２において、ＰＣ２００からＰＩＮコード要求を受信する場合（図３のＳ１２０でＹＥＳかつＳ１２５でＰＩＮコード要求であると判断）に、Ｔ１４４において、ＰＩＮコードＣを生成して、ＰＩＮコードＣを含む画像を印刷するための印刷データを印刷実行部１８に供給することによって、当該画像を印刷する（図４のＳ２００）。
【００８１】
Ｔ１４６では、プリンタ１０は、入力画面データをＰＣ２００に送信する（図４のＳ２０５）。
【００８２】
ＰＣ２００は、Ｔ１４６において、プリンタ１０から入力画面データを受信する場合に、Ｔ１４８において、入力画面を表示する。次いで、ＰＣ２００は、Ｔ１５０において、入力画面においてユーザによってＰＩＮコードＣが入力されることに応じて、Ｔ１５２において、入力済みのＰＩＮコードＣをプリンタ１０に送信する。
【００８３】
プリンタ１０は、Ｔ１５２において、ＰＣ２００からＰＩＮコードＣを受信する場合（図４のＳ２１０）に、Ｔ１４４で生成されたＰＩＮコードＣと受信済みのＰＩＮコードＣとが一致すると判断する（Ｓ２１５でＹＥＳ）。この場合、プリンタ１０は、ＰＩＮコード出力処理において認証が成功したと判断し（図３のＳ１４５でＹＥＳ）、Ｔ１５４において、第２のフラグ変更画面データをＰＣ２００に送信する（Ｓ１５０）。
【００８４】
ＰＣ２００は、Ｔ１５４において、プリンタ１０から第２のフラグ変更画面データを受信する場合に、Ｔ１５６において、第２のフラグ変更画面（図１２の（ｃ）参照）を表示する。次いで、ＰＣ２００は、Ｔ１６０において、第２のフラグ変更画面においてユーザによって送信停止ボタンが選択されることに応じて、Ｔ１６２において、フラグ変更要求をプリンタ１０に送信する。
【００８５】
プリンタ１０は、Ｔ１６２において、ＰＣ２００からフラグ変更要求を受信する場合（図３のＳ１５５でＹＥＳ）に、Ｔ１６４において、メモリ３４に記憶されているフラグ３９を「ＯＮ」から「ＯＦＦ」に変更する。
【００８６】
上記のように、ケースＢでは、プリンタ１０は、ＰＣ２００からＰＩＮコード要求を受信して（Ｔ１４２）、ＰＩＮコードＣを生成し、ＰＩＮコードＣを含む画像を印刷する（Ｔ１４４）。このため、プリンタ１０に近づいて印刷物を見ることができるユーザのみが、ＰＩＮコードＣを知ることができる。即ち、悪意ある第三者が、ＰＩＮコードＣを知る可能性は低い。プリンタ１０は、Ｔ１４４で生成されたＰＩＮコードＣとＴ１５２で受信されたＰＩＮコードＣとが一致すると判断する場合、即ち、ＰＣ２００のユーザが悪意ある第三者である可能性が低い場合に、第２のフラグ変更画面をＰＣ２００に送信する（Ｔ１５４）。従って、プリンタ１０がログ情報の送信を実行する状況において、ログ情報の送信に関する送信設定（即ち、フラグ３９及びサーバ設定４０）が悪意ある第三者によって変更されることを抑制し得る。
【００８７】
（ケースＣ；図９）
続いて、図９を参照して、プリンタ１０によって電子メール送信処理（図５参照）が実行されるケースＣを説明する。図９の初期状態では、プリンタ１０のフラグ３９は「ＯＮ」を示す。
【００８８】
Ｔ２１０〜Ｔ２３６は、図８のＴ１１０〜Ｔ１３６と同様である。ＰＣ２００は、Ｔ２４０において、第３のフラグ変更画面においてユーザによって電子メールボタンが選択されることに応じて、Ｔ２４２において、メール送信要求をプリンタ１０に送信する。
【００８９】
プリンタ１０は、Ｔ２４２において、ＰＣ２００からメール送信要求を受信する場合（図３のＳ１２０でＹＥＳかつＳ１２５でメール送信要求であると判断）に、Ｔ２４４において、第２のフラグ変更画面データの位置を示すＵＲＩ「Ｕ１」を生成し（図５のＳ３００）、Ｔ２４６において、プリンタ１０の管理者のメールアドレスＭＡを送信先として電子メールを送信する（Ｓ３０５）。当該電子メールは、生成済みのＵＲＩ「Ｕ１」をメール本文として含む。
【００９０】
Ｔ２４８では、プリンタ１０は、送信完了画面データをＰＣ２００に送信する（図５のＳ３１０）。
【００９１】
ＰＣ２００は、Ｔ２４８において、プリンタ１０から送信完了画面データを受信する場合に、Ｔ２４９において、送信完了画面を表示する。
【００９２】
ＰＣ２００のメールソフトにメールアドレスＭＡが設定されている場合、即ち、ＰＣ２００がプリンタ１０の管理者によって操作される場合には、ＰＣ２００は、Ｔ２４６において、プリンタ１０から電子メールを受信する。ＰＣ２００は、Ｔ２５０において、電子メール表示操作をプリンタ１０の管理者から受け付ける場合に、Ｔ２５２において、受信済みの電子メールを表示する。次いで、ＰＣ２００は、Ｔ２６０において、プリンタ１０の管理者によって電子メールの本文に含まれるＵＲＩ「Ｕ１」が選択されることに応じて、Ｔ２６２において、ＵＲＩ「Ｕ１」を含むアクセス要求をプリンタ１０に送信する。
【００９３】
プリンタ１０は、Ｔ２６２において、ＰＣ２００からＵＲＩ「Ｕ１」を含むアクセス要求を受信する場合（図５のＳ３２０でＹＥＳ）に、電子メール送信処理において認証が成功したと判断して（図３のＳ１４５でＹＥＳ）、第２のフラグ変更画面データをＰＣ２００に送信する。Ｔ２６６〜Ｔ２７４は、図８のＴ１５６〜Ｔ１６４と同様である。Ｔ２７４の処理が終了すると、ケースＣの処理が終了する。
【００９４】
上記のように、ケースＣでは、プリンタ１０は、ＰＣ２００からメール送信要求を受信して（Ｔ２４２）、ＵＲＩ「Ｕ１」を生成し（Ｔ２４４）、プリンタ１０の管理者のメールアドレスＭＡを送信先としてＵＲＩ「Ｕ１」を含む電子メールを送信する（Ｔ２４６）。従って、管理者とは異なる第三者は、ＵＲＩ「Ｕ１」を知ることができない。プリンタ１０は、ＰＣ２００からＵＲＩ「Ｕ１」を含むアクセス要求を受信する場合、即ち、アクセス要求の送信元のＰＣ２００がプリンタ１０の管理者によって操作されるデバイスである場合に、第２のフラグ変更画面をＰＣ２００に送信する（Ｔ２６４）。従って、プリンタ１０がログ情報の送信を実行する状況において、ログ情報の送信に関する送信設定（即ち、フラグ３９及びサーバ設定４０）が管理者とは異なる第三者によって変更されることを抑制することができる。
【００９５】
（ケースＤ；図１０）
続いて、図１０を参照して、プリンタ１０によって受付画面表示処理が実行されるケースＤを説明する。図１０の初期状態では、プリンタ１０のフラグ３９は「ＯＮ」を示す。
【００９６】
Ｔ３１０〜Ｔ３３６は、図８のＴ１１０〜Ｔ１３６と同様である。ＰＣ２００は、Ｔ３４０において、第３のフラグ変更画面においてユーザによって画面表示ボタンが選択されることに応じて、Ｔ３４２において、画面表示要求をプリンタ１０に送信する。
【００９７】
プリンタ１０は、Ｔ３４２において、ＰＣ２００から画面表示要求を受信する場合（図３のＳ１２０でＹＥＳかつＳ１２５で画面表示要求であると判断）に、Ｔ３４４において、受付画面（図１２の（ｆ）参照）を表示部１４に表示させ（図６のＳ４００）、Ｔ３５０において、通知画面データをＰＣ２００に送信する（Ｓ４０５）。
【００９８】
ＰＣ２００は、Ｔ３５０において、プリンタ１０から通知画面データを受信する場合に、Ｔ３５２において、通知画面を表示する。
【００９９】
プリンタ１０は、Ｔ３６０において、通知画面においてユーザによってＯＫボタンが選択される場合（図６のＳ４１０でＹＥＳ）に、受付画面表示処理において認証が成功したと判断して（図３のＳ１４５でＹＥＳ）、Ｔ３６２において、第２のフラグ変更画面データをＰＣ２００に送信する。Ｔ３６４〜Ｔ３７４は、図８のＴ１５６〜Ｔ１６４と同様である。Ｔ３７４の処理が終了すると、ケースＤの処理が終了する。
【０１００】
上記のように、ケースＤでは、プリンタ１０は、ＰＣ２００から画面表示要求を受信して（Ｔ３４２）、受付画面を表示部１４に表示させる（Ｔ３４４）。ここで、悪意ある第三者が、プリンタ１０に近づいて受付画面を操作することができる可能性は低い。プリンタ１０は、受付画面においてＯＫボタンが選択される場合（Ｔ３６０）に、第２のフラグ変更画面をＰＣ２００に送信する（Ｔ３６２）。従って、プリンタ１０がログ情報の送信を実行する状況において、ログ情報の送信に関する送信設定（即ち、フラグ３９及びサーバ設定４０）が悪意ある第三者によって変更されることを抑制し得る。
【０１０１】
（ケースＥ；図１１）
続いて、図１１を参照して、現行パスワード情報４２が変更されるケースＥを説明する。ケースＥの初期状態では、プリンタ１０のフラグ３９は「ＯＮ」を示す。
【０１０２】
Ｔ４１０〜Ｔ４２６は、図７のＴ１０〜Ｔ２６と同様である。ＰＣ２００は、Ｔ４３０において、管理者画面（図１２の（ａ）参照）においてユーザによってパスワード変更ボタンが選択されることに応じて、Ｔ４３２において、パスワード変更画面要求をプリンタ１０に送信する。
【０１０３】
プリンタ１０は、Ｔ４３２において、ＰＣ２００からパスワード変更画面要求を受信する場合（図２のＳ４０でＮＯ）に、Ｔ４３４において、パスワード変更画面データをＰＣ２００に送信する（Ｓ５０）。
【０１０４】
ＰＣ２００は、Ｔ４３４において、プリンタ１０からパスワード変更画面データを受信する場合に、Ｔ４３６において、パスワード変更画面を表示する。次いで、ＰＣ２００は、Ｔ４４０において、パスワード変更画面においてユーザによってパスワードＰ２が入力されることに応じて、Ｔ４４２において、パスワードＰ２をプリンタ１０に送信する。
【０１０５】
プリンタ１０は、Ｔ４４２において、ＰＣ２００からパスワードＰ２を受信する場合に、Ｔ４４４において、メモリ３４に記憶されている現行パスワード情報４２に含まれるパスワードＰ１に代えて、受信済みのパスワードＰ２を現行パスワード情報４２に記憶する（図２のＳ５５）。
【０１０６】
Ｔ４５０〜Ｔ４７２は、パスワードＰ２が利用される点を除いて、図７のＴ１０〜Ｔ３２と同様である。プリンタ１０は、Ｔ４７２において、ＰＣ２００からフラグ変更画面要求を受信する場合（図２のＳ４０でＹＥＳ）に、メモリ３４に記憶されているフラグ３９が「ＯＮ」を示すと判断する（図３のＳ１００でＹＥＳ）。また、プリンタ１０は、メモリ３４に記憶されている現行パスワード情報４２に含まれるパスワードＰ２と、メモリ３４に記憶されている初期パスワード情報４４に含まれるパスワードＰ１と、が一致しないと判断する（Ｓ１１０でＮＯ）。この場合、プリンタ１０は、Ｔ４７４において、第２のフラグ変更画面データをＰＣ２００に送信する（Ｓ１５０）。Ｔ４７６〜Ｔ４８４は、図８のＴ１５６〜Ｔ１６４と同様である。Ｔ４８４の処理が終了すると、ケースＥの処理が終了する。
【０１０７】
上記のように、プリンタ１０の出荷段階の現行パスワード情報４２によって示されるパスワードＰ１は、プリンタ１０とともに出荷される説明書に記述される。このために、プリンタ１０の管理者とは異なる第三者でも、当該説明書を読むことによってパスワードＰ１を知ることができる。従って、現行パスワード情報４２が変更されていない状況（即ち、ケースＢ〜Ｄ）では、プリンタ１０は、ＰＣ２００からフラグ変更画面要求を受信する場合に、フラグ３９を「ＯＮ」から「ＯＦＦ」に変更することを許容するのか否かに関する認証を実行する。一方、現行パスワード情報４２が変更されている状況（即ち、ケースＥ）では、プリンタ１０の管理者とは異なる第三者が、変更後のパスワードＰ２を知っている可能性が低い。即ち、上記のケースＥにおいて、ＰＣ２００のユーザは、プリンタ１０の管理者である可能性が高い。このような状況において、プリンタ１０は、ＰＣ２００からフラグ変更画面要求を送信する場合（Ｔ４７２）に、上記の認証を実行することなく、第２のフラグ変更画面データをＰＣ２００に送信する（Ｔ４７４）。これにより、プリンタ１０の管理者は、例えば、ＰＩＮコードの入力等を実行する必要がない。従って、プリンタ１０の管理者の利便性が向上する。
【０１０８】
（本実施例の効果）
本実施例によると、プリンタ１０は、フラグ３９が「ＯＦＦ」を示す状況、即ち、プリンタ１０がログ情報の送信を実行しない状況において、ＰＣ２００からフラグ変更画面要求を受信する場合（Ｔ３２）に、フラグ３９及びサーバ設定４０を変更するための指示を受け付け可能な第１のフラグ変更画面を表示するための第１のフラグ変更画面データをＰＣ２００に送信する（Ｔ３４）。これにより、ＰＣ２００では、第１のフラグ変更画面が表示されて送信開始ボタンの選択が受け付けられる（Ｔ４０）。この結果、プリンタ１０は、ＰＣ２００からフラグ変更要求を受信し、フラグ３９を「ＯＦＦ」から「ＯＮ」に変更する（Ｔ４４）。一方、プリンタ１０は、フラグ３９が「ＯＮ」を示す状況、即ち、プリンタ１０がログ情報の送信を実行する状況において、ＰＣ２００からフラグ変更画面要求を受信する場合（図８のＴ１３２、図９のＴ２３２、図１０のＴ３３２）に、フラグ３９及びサーバ設定４０を変更するための指示を受け付け不可能な第３のフラグ変更画面を表示するための第３のフラグ変更画面データをＰＣ２００に送信する（図８のＴ１３４、図９のＴ２３４、図１０のＴ３３４）。これにより、ＰＣ２００では、第３のフラグ変更画面が表示されてフラグ３９及びサーバ設定４０を変更するための指示が受け付けられない。このために、プリンタ１０は、ＰＣ２００からフラグ変更要求又は設定変更要求を受信しない。従って、プリンタ１０がログ情報の送信を実行する状況において、ログ情報の送信に関する送信設定（即ち、フラグ３９、サーバ設定４０）が変更されることを抑制できる。
【０１０９】
さらに、本実施例によると、プリンタ１０は、フラグ３９が「ＯＮ」を示すのか否かに関わらず、ユーザから操作部１２を介してフラグ変更指示を受け付ける場合（図２のＳ１２でＹＥＳ）に、フラグ３９を変更する（Ｓ１４）。また、プリンタ１０は、フラグ３９が「ＯＮ」を示すのか否かに関わらず、ユーザから操作部１２を介して設定変更指示を受け付ける場合（Ｓ１６でＹＥＳ）に、サーバ設定４０を変更する（Ｓ１８）。これにより、例えば、プリンタ１０の管理者は、フラグ３９が「ＯＮ」を示す状況においても、プリンタ１０の操作部１２を操作することによって、フラグ３９及びサーバ設定４０を容易に変更することができる。従って、プリンタ１０の管理者の利便性が向上する。
【０１１０】
（対応関係）
プリンタ１０、サーバ１００、ＰＣ２００が、それぞれ、「通信装置」、「サーバ」、「外部装置」の一例である。フラグ３９及びサーバ設定４０の組み合わせが、「送信設定」の一例である。「ＯＮ」を示すフラグ３９、「ＯＦＦ」を示すフラグ３９が、それぞれ、「実行情報」、「非実行情報」の一例である。フラグ変更画面要求が、「第１の画面要求」の一例である。第１のフラグ変更画面、第３のフラグ変更画面、第２のフラグ変更画面が、それぞれ、「第１の画面」、「第２の画面」、「第３の画面」の一例である。フラグ変更要求が、「変更要求」の一例である。
【０１１１】
第３のフラグ変更画面に含まれる通知メッセージが、「報知情報」の一例である。図３のＳ１１０でＮＯと判断される場合、及び、Ｓ１４５でＹＥＳと判断される場合が、「所定条件が満たされる場合」の一例である。パスワードＰ１、パスワードＰ２、ＰＩＮコードＣが、それぞれ、「第１の認証情報」、「第２の認証情報」、「第３の認証情報」の一例である。印刷実行部１８が、「出力部」の一例である。
【０１１２】
図３のＳ１８５の処理、図２のＳ４０の処理、Ｓ１０５の処理、Ｓ１１５の処理、Ｓ１５５の処理、Ｓ１６０の処理が、それぞれ、「ログ情報送信部」、「画面要求受信部」、「第１の画面データ送信部」、「第２の画面データ送信部」、「変更要求受信部」、「第１の設定変更部」によって実行される処理の一例である。
【０１１３】
（第２実施例；図１３及び図１４）
続いて、図１３及び図１４を参照して、第２実施例を説明する。第２実施例は、図２のＳ４５のフラグ変更処理において、図３の処理に代えて、図１３の処理が実行される点が第１実施例とは異なる。より具体的には、本実施例では、プリンタ１０は、フラグ３９が「ＯＮ」を示す状況において、対象装置から送信設定（即ち、フラグ３９及びサーバ設定４０）を変更するための要求を受信しても、送信設定を変更しない。
【０１１４】
まず、図１３を参照して、第２実施例のフラグ変更処理において実行される処理の詳細を説明する。Ｓ５００〜Ｓ５１０は、図３のＳ１００〜Ｓ１１０と同様である。
【０１１５】
Ｓ５１５では、ＣＰＵ３２は、第４のフラグ変更画面を表示するための第４のフラグ変更画面データを対象装置に送信する。これにより、対象装置のＷｅｂブラウザによって第４のフラグ変更画面データが解釈され、対象装置において第４のフラグ変更画面が表示される。第４のフラグ変更画面は、第２のフラグ変更画面（図１２の（ｃ）参照）と同様である。即ち、第４のフラグ変更画面は、送信停止ボタンと設定変更ボタンとを含む。
【０１１６】
Ｓ５２０では、ＣＰＵ３２は、対象装置からフラグ変更要求又は設定画面要求を受信する。
【０１１７】
Ｓ５２５では、ＣＰＵ３２は、エラー画面を表示するためのエラー画面データを対象装置に送信する。これにより、対象装置のＷｅｂブラウザによってエラー画面データが解釈され、対象装置においてエラー画面が表示される。エラー画面は、フラグ３９及びサーバ設定４０を変更するための指示をプリンタ１０が操作部１２を介して受け付け可能であることを示す。Ｓ５５０〜Ｓ５８５は、図３のＳ１５０〜Ｓ１８５と同様である。Ｓ５２５、Ｓ５６０、又は、Ｓ５８５の処理が終了すると、図１３の処理が終了する。
【０１１８】
上記の構成によると、プリンタ１０は、フラグ３９が「ＯＦＦ」を示す状況（図１３のＳ５００でＮＯ）、即ち、プリンタ１０がログ情報の送信を実行しない状況において、対象装置からフラグ変更要求を受信する場合（Ｓ５５５でＹＥＳ）に、フラグ３９を変更する（Ｓ５６０）。また、プリンタ１０は、対象装置から設定画面要求を受信する場合（Ｓ５６５でＹＥＳ）に、設定画面データを対象装置に送信し（Ｓ５７０）、対象装置から設定変更要求を受信して、サーバ設定４０を変更する（Ｓ５８０）。一方、プリンタ１０は、フラグ３９が「ＯＮ」を示す状況（Ｓ５００でＹＥＳ）、即ち、プリンタ１０がログ情報の送信を実行する状況において、対象装置からフラグ変更要求又は設定画面要求を受信する場合に、エラー画面データを対象装置に送信する。換言すれば、プリンタ１０は、対象装置からフラグ変更要求又は設定画面要求を受信する場合に、フラグ３９又はサーバ設定４０を変更しない。従って、プリンタ１０がログ情報の送信を実行する状況において、ログ情報の送信に関する送信設定（即ちフラグ３９及びサーバ設定４０）が変更されることを抑制できる。
【０１１９】
（ケースＦ：図１４）
続いて、図１４を参照して、図１３の処理を実行することによって実現されるケースＦを説明する。図１４の初期状態では、プリンタ１０のフラグ３９は「ＯＮ」を示す。
【０１２０】
Ｔ５１０〜Ｔ５３２は、図８のＴ１１０〜Ｔ１３２と同様である。Ｔ５３４では、プリンタ１０は、第４のフラグ変更画面データをＰＣ２００に送信する（図１３のＳ５１５）。
【０１２１】
ＰＣ２００は、Ｔ５３４において、プリンタ１０から第４のフラグ変更画面データを受信する場合に、Ｔ５３６において、第４のフラグ変更画面を表示する。次いで、ＰＣ２００は、Ｔ５４０において、第４のフラグ変更画面においてユーザによって送信停止ボタンが選択されることに応じて、Ｔ５４２において、フラグ変更要求をプリンタ１０に送信する。
【０１２２】
プリンタ１０は、Ｔ５４２において、ＰＣ２００からフラグ変更要求を受信する場合（Ｓ５２０）に、Ｔ５４４において、エラー画面データをＰＣ２００に送信する（Ｓ５２５）。
【０１２３】
ＰＣ２００は、Ｔ５４４において、プリンタ１０からエラー画面データを受信する場合に、Ｔ５４６において、エラー画面を表示する。これにより、ＰＣ２００のユーザは、例えば、Ｔ５５０において、プリンタ１０の操作部１２を介してフラグ変更指示をプリンタ１０に与えて、Ｔ５５２において、プリンタ１０のフラグ３９を「ＯＮ」から「ＯＦＦ」に変更することができる。本実施例では、エラー画面データが、「報知情報」の一例である。
【０１２４】
（第３実施例；図１５）
続いて、図１５を参照して、第３実施例を説明する。第３実施例は、図２のＳ４５のフラグ変更処理において、図３の処理に代えて、図１５の処理が実行される点が第１実施例とは異なる。より具体的には、本実施例では、プリンタ１０は、フラグ３９が「ＯＮ」を示す状況において、対象装置から送信設定（即ち、フラグ３９及びサーバ設定４０）を変更するための要求を受信する場合に、ＰＩＮコード出力処理を実行し、ＰＩＮコード出力処理において認証が成功する場合に、送信設定を変更し、ＰＩＮコード出力処理において認証が失敗する場合に、送信設定を変更しない。
【０１２５】
Ｓ６００〜Ｓ６２０は、図１３のＳ５００〜Ｓ５２０と同様である。なお、本実施例では、ＣＰＵ３２は、Ｓ６０５の処理を実行すると、図１３のＳ５５５〜Ｓ５８５の処理を実行して図１５の処理を終了する。また、ＣＰＵ３２は、Ｓ６１０でＮＯと判断する場合に、図１３のＳ５５０〜Ｓ５８５と同様の処理を実行して図１５の処理を終了する。
【０１２６】
Ｓ６３０では、ＣＰＵ３２は、ＰＩＮコード出力処理を実行する。Ｓ６３０で実行されるＰＩＮコード出力処理は、図３のＳ１３０で実行されるＰＩＮコード出力処理（図４参照）と同様である。
【０１２７】
Ｓ６４５は、図３のＳ１４５と同様である。Ｓ６５５では、ＣＰＵ３２は、フラグ変更要求を受信済みであるのか否かを判断する。ＣＰＵ３２は、Ｓ６２０において対象装置からフラグ変更要求を受信していた場合に、Ｓ６５５でＹＥＳと判断して、Ｓ６６０において、メモリ３４に記憶されているフラグ３９を変更する。一方、ＣＰＵ３２は、Ｓ６２０において対象装置から設定画面要求を受信していた場合に、Ｓ６５５でＮＯと判断して、Ｓ６７０に進む。Ｓ６７０〜Ｓ６８５は、図３のＳ１７０〜Ｓ１８５と同様である。Ｓ６６０又はＳ６８５の処理が終了すると、図１５の処理が終了する。
【０１２８】
（本実施例の効果）
本実施例においても、プリンタ１０がログ情報の送信を実行する状況において、ログ情報の送信に関する送信設定（即ちフラグ３９及びサーバ設定４０）が変更されることを抑制できる。さらに、本実施例によると、プリンタ１０は、フラグ変更要求又は設定画面要求を受信する場合（図１５のＳ６２０）に、ＰＩＮコード出力処理を実行する（Ｓ６３０）。即ち、プリンタ１０は、ＰＩＮコードを生成して、ＰＩＮコードを含む画像を印刷し（図４のＳ２００）、入力画面データを対象装置に送信する（Ｓ２０５）。これにより、例えば、プリンタ１０の管理者は、プリンタ１０に近づいて印刷物を見ることによって当該ＰＩＮコードを知ることができ、入力画面において当該ＰＩＮコードを入力することができる。プリンタ１０の管理者がフラグ３９又はサーバ設定４０を変更するためにプリンタ１０の操作部１２を操作する必要がないので、プリンタ１０の管理者の利便性が向上する。
【０１２９】
（第４実施例；図１６）
続いて、図１６を参照して、第４実施例を説明する。第４実施例は、図２のＳ４５のフラグ変更処理において、図３の処理に代えて、図１６の処理が実行される点が第１実施例とは異なる。より具体的には、本実施例では、プリンタ１０は、フラグ３９が「ＯＮ」を示す状況において、対象装置から送信設定（即ち、フラグ３９及びサーバ設定４０）を変更するための要求を受信する場合に、プリンタ１０の管理者のメールアドレスを送信先として、電子メールを送信する。
【０１３０】
Ｓ７００〜Ｓ７１５は、図１３のＳ５００〜Ｓ５１５と同様である。なお、本実施例では、ＣＰＵ３２は、Ｓ７０５の処理を実行すると、図１３のＳ５５５〜Ｓ５８５の処理を実行して図１６の処理を終了する。また、ＣＰＵ３２は、Ｓ７１０でＮＯと判断する場合に、図１３のＳ５５０〜Ｓ５８５と同様の処理を実行して図１６の処理を終了する。
【０１３１】
Ｓ７２０では、ＣＰＵ３２は、フラグ変更要求を受信したのか否かを判断する。ＣＰＵ３２は、対象装置からフラグ変更要求を受信する場合に、Ｓ７２０でＹＥＳと判断して、Ｓ７２５に進む。一方、ＣＰＵ３２は、対象装置から設定画面要求を受信する場合に、Ｓ７２０でＮＯと判断して、Ｓ７６０に進む。
【０１３２】
Ｓ７２５では、ＣＰＵ３２は、確認画面を表示するための確認画面データの位置（即ち、プリンタ１０の内部サーバ内の確認画面データのディレクトリ）を示すＵＲＩを生成する。この際、ＣＰＵ３２は、前回のＳ７２５で生成されたＵＲＩとは異なるＵＲＩを生成する。Ｓ７３０〜Ｓ７４０は、Ｓ７２５で生成されたＵＲＩが利用される点を除いて、図５のＳ３０５〜Ｓ３２０と同様である。
【０１３３】
Ｓ７５０では、ＣＰＵ３２は、確認画面データを対象装置に送信する。これにより、対象装置のＷｅｂブラウザによって確認画面データが解釈され、対象装置において確認画面が表示される。確認画面は、フラグ３９を変更するのか否かを対象装置のユーザに確認するための画面であり、フラグ３９を変更することを示すＯＫボタンと、フラグ３９を変更しないことを示すＣａｎｃｅｌボタンと、を含む。
【０１３４】
Ｓ７５５では、ＣＰＵ３２は、対象装置からフラグ変更指示を受信して、メモリ３４に記憶されているフラグ３９を変更する。当該フラグ変更指示は、確認画面においてユーザによってＯＫボタンが選択されることに応じて、対象装置からプリンタ１０に送信される。Ｓ７５５の処理が終了すると、図１６の処理が終了する。
【０１３５】
Ｓ７６０では、ＣＰＵ３２は、設定画面データの位置（即ち、プリンタ１０の内部サーバ内の設定画面データのディレクトリ）を示すＵＲＩを生成する。この際、ＣＰＵ３２は、前回のＳ７６０で生成されたＵＲＩとは異なるＵＲＩを生成する。Ｓ７６３〜Ｓ７６８は、Ｓ７６０で生成されたＵＲＩが利用される点を除いて、図５のＳ３０５〜Ｓ３２０と同様である。また、Ｓ７７０〜Ｓ７８５は、図３のＳ１７０〜Ｓ１８５と同様である。Ｓ７８５の処理が終了すると、図１６の処理が終了する。
【０１３６】
（本実施例の効果）
本実施例によっても、プリンタ１０がログ情報の送信を実行する状況において、ログ情報の送信に関する送信設定（即ちフラグ３９及びサーバ設定４０）が変更されることを抑制できる。さらに、本実施例によると、ＣＰＵ３２は、対象装置から、例えば、フラグ変更要求を受信する場合（Ｓ７２０でＹＥＳ）、確認画面データの位置を示すＵＲＩを生成し（Ｓ７２５）、プリンタ１０の管理者のメールアドレスを送信先として、生成済みのＵＲＩをメール本文として含む電子メールを送信する（Ｓ７３０）。これにより、プリンタ１０の管理者は、当該電子メールに含まれるＵＲＩを選択し、確認画面においてＯＫボタンを選択することによって、プリンタ１０のフラグ３９を変更することができる。従って、プリンタ１０の管理者がフラグ３９又はサーバ設定４０を変更するためにプリンタ１０の操作部１２を操作する必要がない。プリンタ１０の管理者の利便性が向上する。
【０１３７】
（第５実施例；図１７）
続いて、図１７を参照して、第５実施例を説明する。第５実施例は、図２のＳ４５のフラグ変更処理において、図３の処理に代えて、図１７の処理が実行される点が第１実施例とは異なる。より具体的には、本実施例では、プリンタ１０は、フラグ３９が「ＯＮ」を示す状況において、対象装置から送信設定（即ち、フラグ３９及びサーバ設定４０）を変更するための要求を受信する場合に、受付画面表示処理を実行し、受付画面表示処理において認証が成功する場合に、送信設定を変更し、受付画面表示処理において認証が失敗する場合に、送信設定を変更しない。
【０１３８】
Ｓ８００〜Ｓ８２０は、図１３のＳ５００〜Ｓ５２０と同様である。なお、本実施例では、ＣＰＵ３２は、Ｓ８０５の処理を実行すると、図１３のＳ５５５〜Ｓ５８５の処理を実行して図１７の処理を終了する。また、ＣＰＵ３２は、Ｓ８１０でＮＯと判断する場合に、図１３のＳ５５０〜Ｓ５８５と同様の処理を実行して図１６の処理を終了する。
【０１３９】
Ｓ８４０では、ＣＰＵ３２は、受付画面表示処理を実行する。Ｓ８４０で実行される受付画面表示処理は、図３のＳ１４０で実行される受付画面表示処理（図６参照）と同様である。Ｓ８４５は、図３のＳ１４５と同様である。また、Ｓ８５５〜Ｓ８８５は、図１５のＳ６５５〜Ｓ６８５と同様である。Ｓ８６０又はＳ８８５の処理が終了すると、図１７の処理が終了する。
【０１４０】
（本実施例の効果）
本実施例によっても、プリンタ１０がログ情報の送信を実行する状況において、ログ情報の送信に関する送信設定（即ちフラグ３９及びサーバ設定４０）が変更されることを抑制できる。さらに、本実施例によると、プリンタ１０は、対象装置からフラグ変更要求又は設定画面要求を受信する場合（図１７のＳ８２０）に、受付画面表示処理を実行する（Ｓ８４０）。即ち、プリンタ１０は、受付画面を表示し（図６のＳ４００）、通知画面データを対象装置に送信する（Ｓ４０５）。これにより、例えば、プリンタ１０の管理者は、受付画面においてＯＫボタンを選択して、フラグ３９又はサーバ設定４０を変更することができる。従って、プリンタ１０の管理者が、プリンタ１０の操作部１２を介してフラグ変更指示又は設定変更指示をプリンタ１０に与える必要がないので、プリンタ１０の管理者の利便性が向上する。
【０１４１】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【０１４２】
（変形例１）管理者画面（図１２の（ａ）参照）が、さらに、サーバ設定４０を変更するための設定変更ボタンを含んでいてもよい。プリンタ１０は、対象装置から設定画面要求を受信し、かつ、メモリ３４に記憶されているフラグ３９が「ＯＦＦ」を示す場合に、サーバ設定４０を変更するための指示を受け付け可能な第１の設定画面を表示するための第１の設定画面データを対象装置に送信する。また、プリンタ１０は、対象装置から設定画面要求を受信し、かつ、メモリ３４に記憶されているフラグ３９が「ＯＮ」を示す場合に、サーバ設定４０を変更するための指示を受け付け不可能な第２の設定画面を表示するための第２の設定画面データを対象装置に送信する。従って、プリンタ１０がログ情報の送信を実行する状況において、サーバ設定４０が変更されることを抑制できる。本変形例では、第１の設定画面、第２の設定画面が、それぞれ、「第１の画面」、「第２の画面」の一例である。
【０１４３】
（変形例２）Ｓ１２〜Ｓ１８の処理が省略されてもよい。本変形例では、「変更指示受付部」及び「第２の設定変更部」が省略可能である。
【０１４４】
（変形例３）第３のフラグ変更画面が、報知メッセージを含まなくてもよい。即ち、「第２の画面」は、「報知情報」を含んでいなくてもよい。
【０１４５】
（変形例４）図３のＳ１００〜Ｓ１４５の処理が省略されてもよい。この場合、プリンタ１０は、Ｓ１００でＹＥＳと判断する場合に、エラー画面（図１３のＳ５２５参照）を送信してもよい。本変形例では、エラー画面が、「第２の画面」の一例である。また、本変形例では、「第３の画面データ送信部」、「出力制御部」、「第４の画面データ送信部」、「認証情報受信部」、「送信要求部」、「電子メール送信部」、「生成部」、「表示制御部」が省略可能である。
【０１４６】
（変形例５）第３のフラグ変更画面は、ＰＩＮコードボタンと電子メールボタンと画面表示ボタンとのうちのいずれか１個のボタンを含んでいてもよい。
【０１４７】
（変形例６）図１３のＳ５２５において、プリンタ１０は、フラグ３９及びサーバ設定４０を変更するための指示をプリンタ１０が操作部１２を介して受け付け可能であることを示すエラー画面データに代えて、フラグ３９及びサーバ設定４０を変更するための指示をプリンタ１０が操作部１２を介して受け付け可能であることを示さない画面を表示するための画面データを対象装置に送信してもよい。本変形例では、「報知情報送信部」が省略可能である。
【０１４８】
（変形例７）図４のＳ２００において、プリンタ１０は、ユニークなＰＩＮコードを生成して、生成済みのＰＩＮコードを表示部１４に表示させてもよい。本変形例では、表示部１４が、「出力部」の一例である。
【０１４９】
（変形例８）図５のＳ３００（又は図１６のＳ７２５、Ｓ７６０）の処理が省略されてもよく、プリンタ１０は、メモリ３４に予め記憶されている所定のＵＲＩをメール本文として含む電子メールを送信してもよい。本変形例では、「生成部」が省略可能である。
【０１５０】
（変形例９）プリンタ１０は、ｓｙｓｌｏｇプロトコル以外の所定のプロトコル（例えば、プリンタ１０のベンダによって設計されたプロトコル）に従って、ログ情報をサーバ１００に送信してもよい。即ち、「第１のログ情報」は、ｓｙｓｌｏｇプロトコル以外の所定のプロトコルに従って、サーバに送信されてもよい。
【０１５１】
（変形例１０）「通信装置」は、プリンタ１０でなくてもよく、例えば、スキャナ、多機能機、携帯端末、ＰＣ、サーバ等の他のデバイスであってもよい。
【０１５２】
（変形例１１）上記の各実施例では、図２〜図１７の各処理がソフトウェア（即ち、プログラム３６）によって実現されるが、これらの各処理のうちの少なくとも１つが論理回路等のハードウェアによって実現されてもよい。
【０１５３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１５４】
２：通信システム、６：ＬＡＮ、１０：プリンタ、１２：操作部、１４：表示部、１６：通信Ｉ／Ｆ、１８：印刷実行部、３０：制御部、３２：ＣＰＵ、３４：メモリ、３６：プログラム、３８：Ｓｅｖｅｒｉｔｙテーブル、３９：ログ情報送信フラグ、４０：サーバ設定、４２：現行パスワード情報、４４：初期パスワード情報、１００：ログ管理サーバ、２００：ＰＣ
【図１】
2020119209.tif 000003
【図２】
2020119209.tif 000004
【図３】
2020119209.tif 000005
【図４】
2020119209.tif 000006
【図５】
2020119209.tif 000007
【図６】
2020119209.tif 000008
【図７】
2020119209.tif 000009
【図８】
2020119209.tif 000010
【図９】
2020119209.tif 000011
【図１０】
2020119209.tif 000012
【図１１】
2020119209.tif 000013
【図１２】
2020119209.tif 000014
【図１３】
2020119209.tif 000015
【図１４】
2020119209.tif 000016
【図１５】
2020119209.tif 000017
【図１６】
2020119209.tif 000018
【図１７】
2020119209.tif 000019